(57)【特許請求の範囲】
【請求項１】
記録方式がオングルーブ方式又はイングルーブ方式であると共にウォブリングされたトラックが設けられた光学式記録媒体上に、光を照射する光照射手段と、
トラッキングエラー信号の極性を前記オングルーブ方式の極性に設定するオングルーブ極性設定手段と、
前記照射された光により形成される光スポットが、前記トラック上に位置するように、前記オングルーブ極性設定手段によって設定された極性でトラッキングを行う第１トラッキング手段と、
前記第１トラッキング手段によってトラッキングが行われるとき、前記光スポットからの光に含まれるウォブル信号の振幅を第１ウォブル信号振幅として測定する第１ウォブル信号振幅測定手段と、
前記トラッキングエラー信号の極性を前記イングルーブ方式の極性に設定するイングルーブ極性設定手段と、
前記照射された光により形成される光スポットが、前記トラック上に位置するように、前記イングルーブ極性設定手段によって設定された極性でトラッキングを行う第２トラッキング手段と、
前記第２トラッキング手段によってトラッキングが行われるとき、前記光スポットからの光に含まれるウォブル信号の振幅を第２ウォブル信号振幅として測定する第２ウォブル信号振幅測定手段と、
（ｉ）前記第１ウォブル信号振幅の大きさが前記第２ウォブル信号振幅の大きさよりも大きい場合には、前記記録方式が前記オングルーブ方式であると判定し、（ｉｉ）前記第２ウォブル信号振幅の大きさが前記第１ウォブル信号振幅の大きさよりも大きい場合には、前記記録方式が前記イングルーブ方式であると判定する判定手段と
を備えたことを特徴とする記録方式判定装置。
【請求項２】
前記第１及び第２ウォブル信号振幅測定手段は、
前記光スポットからの光を受光し、前記光スポットが前記トラックの中心に一致している度合いを示すと共に前記ウォブル信号が重畳されたプッシュプル信号を測定するプッシュプル信号測定手段と、
前記プッシュプル信号から前記重畳されたウォブル信号を抽出するウォブル信号抽出手段と
を含むことを特徴とする請求項１に記載の記録方式判定装置。
【請求項３】
記録方式がオングルーブ方式又はイングルーブ方式であると共にウォブリングされたトラックが設けられた光学式記録媒体上に、光を照射する光照射手段を備えた光学情報装置に設けられるコンピュータを、
トラッキングエラー信号の極性を前記オングルーブ方式の極性に設定するオングルーブ極性設定手段と、
前記照射された光により形成される光スポットが、前記トラック上に位置するように、前記オングルーブ極性設定手段によって設定された極性でトラッキングを行う第１トラッキング手段と、
前記第１トラッキング手段によってトラッキングが行われるとき、前記光スポットからの光に含まれるウォブル信号の振幅を第１ウォブル信号振幅として測定する第１ウォブル信号振幅測定手段と、
前記トラッキングエラー信号の極性を前記イングルーブ方式の極性に設定するイングルーブ極性設定手段と、
前記照射された光により形成される光スポットが、前記トラック上に位置するように、前記イングルーブ極性設定手段によって設定された極性でトラッキングを行う第２トラッキング手段と、
前記第２トラッキング手段によってトラッキングが行われるとき、前記光スポットからの光に含まれるウォブル信号の振幅を第２ウォブル信号振幅として測定する第２ウォブル信号振幅測定手段と、
（ｉ）前記第１ウォブル信号振幅の大きさが前記第２ウォブル信号振幅の大きさよりも大きい場合には、前記記録方式が前記オングルーブ方式であると判定し、（ｉｉ）前記第２ウォブル信号振幅の大きさが前記第１ウォブル信号振幅の大きさよりも大きい場合には、前記記録方式が前記イングルーブ方式であると判定する判定手段
として機能させるための記録方式判定用のコンピュータプログラム。
【発明の詳細な説明】
【技術分野】
【０００１】
本発明は、例えば光学式記録媒体における記録方式を判定する記録方式判定装置及び記録方式判定用のコンピュータプログラムの技術分野に関する。
【背景技術】
【０００２】
情報がスパイラル状或いは同心円状に記録される光ディスクの記録方式としては、オングルーブ（On Groove）方式とイングルーブ（In Groove）方式の２種類の記録方式がある。両方式は、いずれもディスク上にスパイラル状或いは同心円状に形成されると共にアドレス情報としてのウォブリングを有するグルーブ部に情報が記録される。オングルーブ方式では、グルーブ部が光の入射面に対して凸状となっているのに対し、イングルーブ方式では、グルーブ部が光の入射面に対して凹状となっている。このため、オングルーブ方式におけるグルーブ部上にトラッキング制御する場合と、イングルーブ方式におけるグルーブ部上にトラッキング制御する場合とでは、光スポットを制御するためのトラッキングエラー信号の極性が逆になる。そこで、光ディスクから情報を読み出す前に、トラッキングエラー信号の極性、即ち光ディスクの記録方式を判定する必要がある。このような記録方式の判定に関しては、各種の提案がなされている。【０００３】
例えば特許文献１では、ＢＣＡ（Burst cutting area）に記録されているディスク種別コードを読み取ることで、トラッキングエラー信号の極性を判定する方法が提案されている。特許文献２では、ＲＦ（Radio Frequency）信号の大小に基づいてトラッキングエラー信号の極性を判定する方法が提案されている。特許文献３では、光ディスクからの反射光量の総和信号の大小に基づいてトラッキングエラー信号の極性を判定する方法が提案されている。特許文献４では、アドレス情報を読み出せるか否かに基づいてトラッキングエラー信号の極性を判定する方法が提案されている。【０００４】
【特許文献１】特開２００５−１６６０９６号公報
【特許文献２】特開２０００−２９３８６９号公報
【特許文献３】特開２００５−７１４７８号公報
【特許文献４】特開平７−１２１８９１号公報
【発明の開示】
【発明が解決しようとする課題】
【０００５】
しかしながら、特許文献１による技術では、データ領域に比較して狭いＢＣＡにメカ精度のみでトラッキングしなければならず、ディスク種別コードを読み取ることが困難であり、更に読み取った情報をデコードしない限り判定は不可能であるという技術的問題点がある。特許文献２による技術では、ＲＦ信号が記録されていないディスクでは、トラッキングエラーの信号の極性を判定することができないという技術的問題点がある。特許文献３による技術では、ピット領域を必要とするため、ピット領域のないオングルーブ方式及びイングルーブ方式におけるトラッキングエラー信号の極性を判定することができないという技術的問題点がある。特許文献４による技術では、例えばＢＤ（Blu-ray Disc；ブルーレイディスク）の場合において、トラッキングエラー信号を誤った極性に設定してもアドレス情報を読み出せることがあるため、トラッキングエラー信号の極性を正しく判定できない場合があるという技術的問題点がある。【０００６】
本発明は、例えば上述した問題点に鑑みなされたものであり、光学式記録媒体における記録方式を比較的迅速且つ容易に判定可能である記録方式判定装置及び記録方式判定用のコンピュータプログラムを提供することを課題とする。
【課題を解決するための手段】
【０００７】
（記録方式判定装置）
上記課題を解決するために、本発明の記録方式判定装置は、記録方式がオングルーブ方式又はイングルーブ方式であると共にウォブリングされたトラックが設けられた光学式記録媒体上に、光を照射する光照射手段と、前記照射された光により形成される光スポットが、前記トラック上に位置するように、トラッキングを行うトラッキング手段と、前記光スポットからの光に含まれるウォブル信号の振幅を測定するウォブル信号振幅測定手段と、前記ウォブル信号の振幅の大きさに基づいて、前記記録方式を判定する判定手段とを備える。【０００８】
本発明の記録方式判定装置は、例えば、光学式記録媒体に記録された情報を再生する光情報再生装置、光情報記録再生装置、光情報記録装置等の光学情報装置に組み込まれており、記録された情報を再生する前に、或いは記録する前に、光学式記録媒体の記録方式が、オングルーブ（On Groove）方式であるかイングルーブ（In Groove）方式であるかを判定する。光学情報装置は、判定された記録方式に基づいて、例えば光ピックアップのトラッキング制御を行うことができる。ここで、「オングルーブ方式」とは、光学式記録媒体における光が入射する入射面に対して、入射する側から見て凸状のグルーブ（或いは案内溝）が設けられており、このグルーブ（本願明細書では適宜、単に「オングルーブ」と略記する）に情報が記録される記録方式を意味し、「イングルーブ方式」とは、光学式記録媒体における光が入射する入射面に対して、入射する側から見て凹状のグルーブが設けられており、このグルーブ（本願明細書では適宜、単に「イングルーブ」と略記する）に情報が記録される記録方式を意味する。尚、以下では、オングルーブ及びイングルーブを総称して或いはいずれか一方を意味して単に「グルーブ」とも呼ぶ。【０００９】
本発明の記録方式判定装置によれば、その動作時には、先ず、例えば光ピックアップ等に内蔵される半導体レーザ装置等の光照射手段によって、レーザ光が光学式記録媒体に照射され、対物レンズ等の光学系を介して、この照射された光から、記録媒体の記録面にスポット状に集光された光スポットが形成される。この際、例えば光ピックアップに取り付けられたアクチュエータ、該アクチュエータの制御用のマイコン等を含むトラッキング手段によって、光スポットは、オングルーブ又はイングルーブ上に位置するようにトラッキングされる。即ち、オングルーブ又はイングルーブ上にトラッキングさせるように例えばトラッキングエラー信号の極性が設定される。尚、フォーカシングについては別途、既存の各種フォーカシング機構によって、トラッキングと同時に実行される。【００１０】
ここで、トラッキングエラー信号とは、光スポットがトラック（即ちグルーブ）の中心又はトラック間（即ちグルーブ間）の中心に一致している度合いを示す信号であり、例えば、光スポットがグルーブ上又はグルーブ間で反射回折された反射回折光等の光を、例えば左右に分割された２分割受光素子によって受光し、２分割された受光面のうち一方の面に受光された光の強度と他方の面に受光された光の強度との差分をとることによって取得されるプッシュプル信号である。このため、トラッキングエラー信号は、例えば光スポットがグルーブの中心から左側にずれている場合と右側にずれている場合では、一方の面に受光された光の強度及び他方の面に受光された光の強度のどちらが大きいかが異なる。このトラッキングエラー信号の振幅がゼロ、即ち、例えば、一方の面に受光される光の強度と他方の面に受光される光の強度が等しくなるようにトラッキング制御が行われる。更に、光スポットがイングルーブ上にある場合とオングルーブ上にある場合では、グルーブが凸状（即ちオングルーブ）であるか凹状（即ちイングルーブ）であるかに起因してトラッキング信号の極性が異なる。即ち、例えば、光スポットがオングルーブ上の中心から左にずれている場合には、一方の面に受光された光の強度が他方の面に受光された光の強度よりも大きくなる一方、光スポットがイングルーブ上の中心から左にずれている場合には、一方の面に受光された光の強度が他方の面に受光された光の強度よりも小さくなる。このため、例えば、オングルーブ方式の光学式記録媒体に対して、イングルーブ方式に対応するトラッキングエラー信号の極性を設定した場合には、オングルーブ間に位置する凹部にトラッキングされることとなる。【００１１】
次に、例えば２分割受光素子等を含むウォブル信号振幅測定手段によって、オングルーブ又はオングルーブ間の凹部（或いはイングルーブ又はイングルーブ間の凸部）上にトラッキングされた光スポットがグルーブに反射回折された反射回折光等の光から得られるプッシュプル信号がトラッキングエラー信号として測定される。【００１２】
続いて、ウォブル信号振幅測定手段によって、トラッキングエラー信号に重畳された第１のウォブル信号が抽出され、第１のウォブル信号の振幅（即ち、第１ウォブル信号振幅）が測定される。【００１３】
ここで、ウォブル信号とは、グルーブのウォブル周期でプッシュプル信号レベルが変化する信号であり、例えばクロック生成用、同期用、アドレス情報再生用のためなどに生成される。ウォブル信号は、光スポットがグルーブの中心に位置する場合に振幅が最大となり、中心からずれるに従って振幅は小さくなるという性質を有する。このため、光スポットが、グルーブ間の中心に位置する場合には、ウォブル信号の振幅は最小となる。【００１４】
尚、測定された第１ウォブル信号振幅は、外部或いは内蔵メモリ等に記憶される。【００１５】
次に、再びトラッキング手段によって、例えばトラッキング信号の極性が反転されることにより、光スポットが、初めにオングルーブ上にトラッキングするようにトラッキング信号の極性が設定された場合には、イングルーブ上にトラッキングするようにトラッキング信号の極性が設定される。逆に、初めにイングルーブ上にトラッキングするようにトラッキング信号の極性が設定された場合には、オングルーブ上にトラッキングするようにトラッキング極性が設定される。いずれにしても、トラッキング信号の極性を反転させることにより半トラック分だけずれた位置に光スポットをトラッキングする、即ち半トラックジャンプさせる。【００１６】
次に、トラッキングエラー信号の極性を反転させる前（即ち、半トラックジャンプさせる前）と同様に、例えば２分割受光素子等を含むウォブル信号振幅測定手段によって、半トラック分だけずれた位置にトラッキングされた光スポットがグルーブに反射回折された反射回折光等の光からのプッシュプル信号がトラッキングエラー信号として生成される。【００１７】
続いて、ウォブル信号振幅測定手段によって、トラッキングエラー信号に重畳された第２のウォブル信号が抽出され、第２ウォブル信号振幅が測定される。【００１８】
次に、第１及び第２ウォブル信号振幅の大きさに基づいて、光学式記録媒体の記録方式が判定手段によって判定される。上述したようにウォブル信号振幅は、光スポットがグルーブの中心に位置する場合に振幅が最大となり、中心からずれるに従って振幅は小さくなるという性質を有する。よって、第１ウォブル信号振幅の大きさが第２ウォブル信号振幅の大きさよりも大きい場合には、第１ウォブル信号振幅を測定した際のトラッキング位置にグルーブが存在することになり、第２ウォブル信号振幅を測定した際のトラッキング位置にグルーブ間が存在することになる。逆に、第１ウォブル信号振幅の大きさが第２ウォブル信号振幅の大きさよりも小さい場合には、第１ウォブル信号振幅を測定した際のトラッキング位置にグルーブ間が存在することになり、第２ウォブル信号振幅を測定した際のトラッキング位置にグルーブが存在することになる。従って、第１及び第２ウォブル信号振幅のうち大きい方を測定した際のトラッキング信号の極性に対応する記録方式（即ち、オングルーブ方式又はイングルーブ方式）が、光学式記録媒体の記録方式として判定される。【００１９】
以上の説明したように本発明の記録方式判定装置によれば、ウォブル信号振幅の大きさに基づいて、光学式記録媒体の記録方式を判定することができる。特に、ウォブル信号振幅の大きさに基づいて、光学式記録媒体の記録方式を判定するので、光学式記録媒体に情報が記録されているか否かにかかわらず記録方式を判定することができる。更に、記録された情報を読み出すための複雑な回路を必要とせずに、情報をデコードすることを待たずして速やかに記録方式を判定することができる。加えて、第１及び第２ウォブル信号振幅の測定を互いに半トラック分だけずれた位置で行うことにより、反射率の面内変動やウォブル信号のトラック（即ちグルーブ）間干渉、即ち、いわゆるウォブルビート等による振幅変動による記録方式の判定への影響を殆ど或いは実践上完全に無くすことができる。【００２０】
尚、例えば光情報再生装置は、本発明の記録方式判定装置によって判定された記録方式に対応するトラッキングエラー信号の極性でトラッキング制御を行うことにより、確実に光学式記録媒体に記録された情報を読み取る、或いは再生することができる。【００２１】
本発明の記録方式判定装置の一の態様では、前記トラッキング手段は、前記光スポットが前記トラック上に位置するようにトラッキングエラー信号の極性を制御する。【００２２】
この態様によれば、トラッキングエラー信号の極性を、オングルーブ方式に対応する極性及びイングルーブ方式に対応する極性のいずれかに切り換えることができる。よって、トラックと該トラックから半トラック分だけずれた位置とに確実に光スポットをトラッキングすることができる。従って、確実に半トラック分だけずれた位置においてウォブル信号振幅を測定でき、記録方式を判定できる。【００２３】
本発明の記録方式判定装置の他の態様では、前記ウォブル信号振幅測定手段は、前記光スポットからの光を受光し、前記光スポットが前記トラックの中心に一致している度合いを示すと共に前記ウォブル信号が重畳されたプッシュプル信号を測定するプッシュプル信号測定手段と、前記プッシュプル信号から前記重畳されたウォブル信号を抽出するウォブル信号抽出手段とを含む。【００２４】
この態様によれば、ウォブル信号振幅測定手段は、プッシュプル信号測定手段及びウォブル信号抽出手段を含む。プッシュプル測定手段は、例えば２分割受光素子を含んでおり、プッシュプル信号を測定する。ウォブル信号抽出手段は、例えば信号処理回路を含んでおり、プッシュプル信号測定手段によって測定されたプッシュプル信号から重畳されたウォブル信号を抽出する。よって、確実にウォブル信号振幅を測定でき、記録方式を判定できる。【００２５】
（記録方式判定用のコンピュータプログラム）
上記課題を解決するために、本発明の記録方式判定用のコンピュータプログラムは、記録方式がオングルーブ方式又はイングルーブ方式であると共にウォブリングされたトラックが設けられた光学式記録媒体上に、光を照射する光照射手段と、前記照射された光により形成される光スポットが、前記トラック上に位置するように、トラッキングを行うトラッキング手段とを備えた光学情報装置に設けられるコンピュータを、前記光スポットからの光に含まれるウォブル信号の振幅を測定するウォブル信号振幅測定手段と、前記ウォブル信号の振幅の大きさに基づいて、前記記録方式を判定する判定手段として機能させる。【００２６】
本発明の記録方式判定用のコンピュータプログラムによれば、上述した本発明の記録方式判定装置を構成する「ウォブル信号振幅測定手段」及び「判定手段」としてコンピュータを機能させることができる。即ち、本発明の記録方式判定用のコンピュータプログラムを格納するＲＯＭ、ＣＤ−ＲＯＭ、ＤＶＤ−ＲＯＭ、ハードディスク等の情報記録媒体から、当該コンピュータプログラムをコンピュータに読み込んで実行させれば、或いは、当該コンピュータプログラムを、通信手段を介してコンピュータにダウンロードさせた後に実行させれば、上述した本発明の記録方式判定装置を比較的簡単に実現できる。【００２７】
上記課題を解決するために、コンピュータ読取可能な媒体内のコンピュータプログラム製品は、記録方式がオングルーブ方式又はイングルーブ方式であると共にウォブリングされたトラックが設けられた光学式記録媒体上に、光を照射する光照射手段と、前記照射された光により形成される光スポットが、前記トラック上に位置するように、トラッキングを行うトラッキング手段とを備えた光学情報装置に設けられるコンピュータにより実行可能なプログラム命令を明白に具現化し、該コンピュータを、前記光スポットからの光に含まれるウォブル信号の振幅を測定するウォブル信号振幅測定手段と、前記ウォブル信号の振幅の大きさに基づいて、前記記録方式を判定する判定手段として機能させる。【００２８】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述したウォブル信号振幅測定手段及び判定手段を比較的容易に実施可能となる。更に具体的には、当該コンピュータプログラム製品は、上述したウォブル信号振幅測定手段及び判定手段として機能させるコンピュータ読取可能なコード（或いはコンピュータ読取可能な命令）から構成されてよい。【００２９】
本発明の作用及び他の利得は次に説明する実施例から明らかにされる。【００３０】
以上詳細に説明したように本発明の記録方式判定装置は、光照射手段、トラッキング手段、ウォブル信号振幅測定手段及び判定手段を備えるので、ウォブル信号振幅の大きさに基づいて、光学式記録媒体の記録方式を判定することができる。特に、ウォブル信号振幅の大きさに基づいて、光学式記録媒体の記録方式を判定するので、光学式記録媒体に情報が記録されているか否かにかかわらず記録方式を判定することができる。更に、記録された情報を読み出すための複雑な回路を必要とせずに、情報をデコードすることを待たずして速やかに記録方式を判定することができる。加えて、第１及び第２ウォブル信号振幅の測定を互いに半トラック分だけずれた位置で行うことにより、反射率の面内変動やウォブル信号のトラック間干渉、即ち、いわゆるウォブルビート等による振幅変動による記録方式の判定への影響を殆ど或いは実践上完全に無くすことができる。本発明の記録方式判定用のコンピュータプログラムは、光照射手段及びトラッキング手段を備えた光学情報装置に設けられるコンピュータを、ウォブル信号振幅測定手段及び判定手段としてコンピュータを機能させるので、当該コンピュータプログラムをコンピュータに読み込んで実行させれば、本発明の記録方式判定装置を比較的簡単に実現できる。
【図面の簡単な説明】
【００３１】
【図１】第１実施例に係る記録方式判定装置が組み込まれた光学情報装置の構成を示すブロック図である。
【図２】光ディスクの記録方式を説明するための説明図である。
【図３】第１実施例に係る記録判定装置の記録方式判定部の構成を示すブロック図である。
【図４】プッシュプル信号の特性を説明するための説明図である。
【図５】第１実施例に係る記録方式判定装置による記録方式の判定を示すフローチャートである。
【図６】ウォブル信号振幅の特性を説明するための説明図である。
【符号の説明】
【００３２】
１０  光学情報装置
１１  光ピックアップ
１１ａ  半導体レーザ装置
１５  制御部
１６  メモリ
１７  駆動部
１８  記録方式判定部
２０  記録方式判定装置
２１  プッシュプル信号生成部
２３  極性反転部
２７  ウォブル信号抽出部
２８  判定部
９１、９２  グルーブ
１００、１１１、１１２  光ディスク
２２０  ウォブル信号
【発明を実施するための最良の形態】
【００３３】
以下、本発明を実施するための最良の形態について実施例毎に順に図面に基づいて説明する。【００３４】
（第１実施例）
本発明の第１実施例に係る記録方式判定装置について、図１から図６を参照して説明する。【００３５】
先ず、本発明の第１実施例に係る記録方式判定装置が組み込まれた光学情報装置の構成について、図１を参照して説明する。ここに図１は、第１実施例に係る記録方式判定装置が組み込まれた光学情報装置の構成を示すブロック図である。【００３６】
図１において、光学情報装置１０は、光ピックアップ１１、ＲＦ信号生成部１２、ＤＳＰ（Digital Signal Processor）１３、デコーダ１４、制御部１５、メモリ１６、駆動部１７及び記録方式判定部１８を備えている。光ピックアップ１１、駆動部１７及び記録方式判定部１８は、記録方式判定装置２０を構成している。光学情報装置１０は、光学式記録媒体の一例としての光ディスク１００に記録された情報を再生する光情報再生装置、光情報記録再生装置、光情報記録装置等である。【００３７】
光ピックアップ１１は、本発明に係る「光照射手段」の一例としての半導体レーザ装置１１ａを内蔵しており、レーザ光を光ディスク１００に照射する。そして、対物レンズ１１ｂ等の光学系を介して、この照射された光ＬＢから、光ディスク１００の記録面にスポット状に集光された光スポットが形成される。更に、光ピックアップ１１は、分割受光素子を含んでおり、例えば、光スポットが光ディスク１００によって反射等された光を、分割受光素子によって受光する。【００３８】
ＲＦ信号生成部１２は、光ピックアップ１１によって受光された光に基づいてＲＦ信号を生成する。ＲＦ信号は、例えば、分割受光素子における分割された複数の受光面によって受光された光の光量の合計として生成される。【００３９】
ＤＳＰ１３は、ＲＦ信号生成部１２によって生成されたサーボ制御信号やＲＦ信号に対して、２値化等の信号処理を行う。【００４０】
デコーダ１４は、ＤＳＰ１３によって処理された信号の復号化を行う。デコーダ１４によって復号化された信号は、バッファメモリとインターフェース部を介してホストコンピュータへ出力される。【００４１】
制御部１５は、例えばマイコン等であり、ＤＳＰ１３、デコーダ１４、メモリ１６及び記録方式判定部１８を制御する。【００４２】
メモリ１６は、制御部１５や記録方式判定部１８からの出力を一時的に記憶する。【００４３】
駆動部１７は、例えばアクチュエータ、該アクチュエータを駆動するためのドライバ等からなり、光ピックアップ１１を駆動する。【００４４】
記録方式判定部１８は、光ディスク１００に記録された情報を再生する前に、或いは記録する前に、光ディスク１００の記録方式が、オングルーブ方式であるかイングルーブ方式であるかを判定する。【００４５】
次に、上述した光学情報装置が処理する光ディスクの記録方式について、図２を参照して説明する。ここに図２は、光ディスクの記録方式を説明するための説明図である。【００４６】
図２に示すように、光ディスク１００の記録方式には、オングルーブ方式及びイングルーブ方式の２種類がある。即ち、光ディスク１００としては、記録方式がオングルーブ方式の光ディスク１１１と、記録方式がイングルーブ方式の光ディスク１１２とがある。図２では、上方には光ディスク１１１及び１１２のトラックの半径方向に沿った線での断面図が夫々示されており、下方には光が入射する入射面から見た平面図が上方に示された断面図に対応して示されている。【００４７】
図２（ａ）に示すように、記録方式がオングルーブ方式の光ディスク１１１では、光ディスク１１１における光ＬＢが入射する入射面１０１に対して、入射する側から見て凸状のグルーブ９１（以下では、適宜、オングルーブ９１とも呼ぶ）が設けられている。グルーブ９１上に、ビット９３が配列されることで情報が記録される。更に、グルーブ９１は、半径方向にわずかに蛇行して形成されている、即ちウォブルが形成されたウォブルドグルーブである。尚、本例におけるグルーブ９１は、その製造過程で、基板１１１Ｓに対するグルーブ（溝）として形成され、他方で、基板１１１Ｓにおけるグルーブ（溝）が掘られる側と反対側（即ち入射面１０１になる側）から、光ＬＢが照射されるため、光ＬＢが入射する側から見て凸状となり、基板１１１Ｓに対して凹状となる。このように、グルーブ９１は、光ＬＢが入射する側から見て凸状であるものの、基板１１１Ｓに対しては“凹状”であるグルーブとして構築されている。【００４８】
一方、図２（ｂ）に示すように、記録方式がイングルーブ方式の光ディスク１１２では、光ディスク１１２における光ＬＢが入射する入射面１０２に対して、入射する側から見て凹状のグルーブ９２（以下では、適宜、イングルーブ９２とも呼ぶ）が設けられている。グルーブ９２上に、ビット９４が配列されることで情報が記録される。更に、グルーブ９２は、グルーブ９１と同様に、ウォブルが形成されたウォブルドグルーブである。尚、本例におけるグルーブ９２は、その製造過程で、基板１１２Ｓに対するグルーブ（溝）として形成され、他方で、基板１１２Ｓにおけるグルーブ（溝）が掘られる側と同じ側から、光ＬＢが照射されるため、光ＬＢが入射する側から見て凹状となる。このように、グルーブ９２は、光ＬＢが入射する側から見て凹状であり、基板１１１Ｓに対しても“凹状”であるグルーブとして構築されている。【００４９】
上述したように、オングルーブ方式の光ディスク１１１及びイングルーブ方式の光ディスク１１２のいずれにおいても、情報は、グルーブ上にビットが配列されることで記録される。即ち、グルーブ９１及び９２が、情報を記録するためのトラックとして機能する。しかし、オングルーブ９１が、入射面１０１に対して、光が入射する側から見て凸状である一方、イングルーブ９２は、入射面１０２に対して、光が入射する側から見て凹状である。よって、入射面１０１及びオングルーブ９１間の距離と入射面１０２及びイングルーブ９２間の距離とは異なるため、光ディスク１００の情報を再生する際或いは光ディスク１００に情報を記録する際に、適切なトラッキング制御を実現するためには、光ディスク１００が、オングルーブ方式の光ディスク１１１であるか、イングルーブ方式の光ディスク１１２であるかを判定する必要がある。【００５０】
次に、上述した光学情報装置の記録方式判定部の構成について、図３及び図４を参照して説明する。ここに図３は、第１実施例に係る記録判定装置の記録方式判定部の構成を示すブロック図である。図４は、プッシュプル信号の特性を説明するための説明図である。【００５１】
図３において、記録方式判定部１８は、プッシュプル信号生成部２１、Ａ／Ｄ（Analog to Digital）回路２２、極性反転部２３、ＥＱ（Equalizer）回路２４、Ｄ／Ａ（Digital to Analog）回路２５、バッファ回路２６、ウォブル信号抽出部２７及び判定部２８を備えている。ここで、本発明に係る「プッシュプル信号測定手段」の一例であり、極性反転部２３及びＥＱ回路２４は、駆動部１７と共に、本発明に係る「トラッキング手段」の一例を構成する。【００５２】
プッシュプル信号生成部２１は、例えばトラック中心に対して対照に配置された２分割受光素子を含んでおり、２つの受光部における出力差として、プッシュプル信号を生成する。即ち、プッシュプル信号は、光スポットがトラック（言い換えれば、グルーブ９１或いは９２）に反射回折された反射回折光等の光から得られる、光スポットのトラック中心からのずれを示すトラッキングエラー信号として、プッシュプル信号生成部２１によって測定される。より詳細には、光スポットとトラックの中心、或いは光スポットとトラック間の中間部の中心とが一致している場合には、２分割受光素子ではトラックに対して左右対称な光が受光される、即ち、２つの受光部において同じ量の光が受光されるので、プッシュプル信号の振幅はゼロとなる。光スポットとトラックの中心、或いは光スポットとトラック間の中間部の中心とが一致していない場合には、２分割受光素子ではトラックに対して左右非対称な光が受光される、即ち、２つの受光部において異なる量の光が受光されるので、プッシュプル信号は、ゼロではない。よって、図４に示すように、光スポットがトラックを横切ったときには、プッシュプル信号（即ちトラッキングエラー信号）２１１及び２１２はＳ字型の曲線となる。トラッキング信号の特性は、トラックがオングルーブ９１であるかイングルーブ９２であるかにより異なる。【００５３】
即ち、図４（ａ）に示すように、オングルーブ方式では、トラッキングエラー信号２１１は、光スポットがオングルーブ９１の中心と一致している場合には、ゼロであり（図中、点Ｐ１参照）、光スポットがオングルーブ９１の中心よりも右側にずれた場合には、正方向の値をとり、左側にずれた場合には負方向の値をとる。これに対し、図４（ｂ）に示すように、イングルーブ方式では、トラッキングエラー信号２１２は、光スポットがイングルーブ９２の中心と一致している場合には、ゼロであり（図中、点Ｐ２参照）、光スポットがイングルーブ９２の中心よりも右側にずれた場合には、負方向の値をとり、左側にずれた場合には正方向の値をとる。【００５４】
上述したようなトラッキングエラー信号の特性を利用して、光スポットの中心位置を検出することができるので、光スポットのトラッキング制御を行うことが可能となる。しかし、オングルーブ９１上にトラッキングする場合とイングルーブ９２上にトラッキングする場合とでは、上述のようにトラッキングエラー信号の極性が逆になるため、トラッキング制御を行う際には、光ディスク１００に形成されたグルーブが、オングルーブ９１であるかイングルーブ９２であるかに応じて極性を反転する必要がある。本実施例では、後述するように、判定部２８等によってグルーブがオングルーブであるかイングルーブであるかが判定される共に極性反転部２３によってトラッキングエラー信号の極性が、判定された記録方式に応じて反転される。【００５５】
Ａ／Ｄ回路２２は、アナログ信号をディジタル信号に変換する回路であり、プッシュプル信号生成部２１によって測定されたプッシュプル信号をディジタル信号に変換する。【００５６】
極性反転部２３は、Ａ／Ｄ回路２２から出力されたプッシュプル信号、即ちトラッキングエラー信号の極性を反転する。【００５７】
ＥＱ回路２４は、トラッキングエラー信号をイコライズする回路であり、光スポットのトラッキング制御を行うための回路である。ＥＱ回路２４は、入力されたトラッキングエラー信号と、トラッキングしようとする位置に対応する参照信号refとの差分信号をフィルタ演算して出力する。この出力された差分信号が後述するように最終的に駆動部１７に入力され、差分信号をゼロとするようにトラッキングが行われる。よって、トラックの中心にトラッキングしようとする場合には、参照信号refをゼロとすればよい。このとき、差分信号は、トラッキングエラー信号そのものとなる。【００５８】
Ｄ／Ａ回路２５は、ディジタル信号をアナログ信号に変換する回路であり、ＥＱ回路２４から出力されるディジタル信号である差分信号をアナログ信号に変換する。【００５９】
バッファ回路２６は、入力信号を増幅して出力するバッファであり、Ｄ／Ａ回路２５からの差分信号を増幅して駆動部１７へ出力する。駆動部１７は、入力された差分信号に基づいて光スポットのトラッキングを行う。【００６０】
ウォブル信号抽出部２７は、上述したプッシュプル信号生成部２１によって生成されたプッシュプル信号から重畳されたウォブル信号を抽出する。尚、ウォブル信号は、後述するように、グルーブに形成されたウォブルの周期（即ちウォブル周期）でプッシュプル信号レベルが変化する信号であり、プッシュプル信号に重畳されている。【００６１】
判定部２８は、ウォブル信号抽出部２７によって抽出されたウォブル信号の振幅の大きさに基づいて、光ディスク１００の記録方式がオングルーブ方式であるかイングルーブ方式であるかを判定する。判定された結果は、メモリ１６に記憶、或いは、極性反転部２３に出力される。極性反転部２３は、判定された結果に基づいて、トラッキングエラー信号の極性を反転する（或いは反転しない）。【００６２】
次に、上述した光学情報装置における記録方式の判定について、図１及び図３に加えて、主に図５及び図６を参照して説明する。ここに図５は、第１実施例に係る記録方式判定装置による記録方式の判定を示すフローチャートである。図６は、ウォブル信号振幅の特性を説明するための説明図である。【００６３】
再び図１において、本実施例では、光学情報装置１０には、記録方式判定部１８等からなる記録方式判定装置２０が組み込まれており、記録された情報を再生する前に、或いは記録する前に、光ディスク１００の記録方式が、オングルーブ方式であるかイングルーブ方式であるかを判定する。【００６４】
図５に示す判定処理において、先ず、極性反転部２３は、トラッキングエラー信号の極性を第１極性になるように反転する（ステップＳ１）。第１極性としては、オングルーブ方式及びイングルーブ方式のいずれの記録方式に対応する極性としてもよいが、本実施例では、第１極性をオングルーブ方式に対応する極性とする。【００６５】
次に、ＥＱ回路２４、駆動部１７等によって、第１極性とされたトラッキングエラー信号に基づいてトラッキングが行われる（ステップＳ２）。即ち、トラッキングの結果、光ディスク１００がオングルーブ方式の光ディスク１１１（図４参照）の場合には、光スポットはトラック上に位置することとなり、光ディスク１００がイングルーブ方式の光ディスク１１２の場合には、光スポットはトラック間の中間部に位置することになる。【００６６】
次に、プッシュプル信号生成部２１によって、光スポットからの光からプッシュプル信号が、トラッキングエラー信号として測定され、ウォブル信号抽出部２７によって、このトラッキングエラー信号に重畳されたウォブル信号が抽出され、その振幅が第１ウォブル信号振幅として測定される（ステップＳ３）。即ち、第１極性とされたトラッキングエラー信号に基づいてトラック（即ち、グルーブ）或いはトラック間の中間部にトラッキングされた光スポットのグルーブに反射回折された反射回折光等の光が、プッシュプル信号生成部２１によって受光され、プッシュプル信号がトラッキングエラー信号として生成される。続いて、トラッキングエラー信号に重畳されたウォブル信号が、ウォブル信号抽出部２７によって抽出される。ここで、図６の上方に示すように、ウォブル信号２２０は、トラッキングエラー信号２１１に重畳されている。ウォブル信号２２０は、グルーブのウォブル周期でプッシュプル信号レベルが変化する信号であり、例えばクロック生成用、同期用、アドレス情報再生用にも用いられる。図６の下方には、ウォブル信号抽出部２７によって抽出されたウォブル信号２２０が示されている。抽出の際、ウォブル信号２２０は、増幅されてもよい。続いて、ウォブル信号抽出部２７によって、ウォブル信号２２０の振幅が測定され、第１ウォブル信号振幅としてメモリ１６に記憶される。図６に示すように、ウォブル信号２２０は、光スポットがグルーブの中心に位置する場合（図中、点Ｐ１に対応）に振幅が最大となり、中心からずれるに従って振幅は小さくなるという性質を有する。このため、光スポットが、グルーブ間の中間部の中心に位置する場合には、ウォブル信号２２０の振幅は最小となる。【００６７】
次に、極性反転部２３は、トラッキングエラー信号の極性が、第２極性になるように反転する（ステップＳ４）。即ち、トラッキングエラー信号の極性を第１極性とは反対の極性にする。本実施例では、第２極性をイングルーブ方式に対応する極性とする。尚、第１極性をオングルーブ方式に対応する極性とした場合には、第２極性はイングルーブ方式に対応する極性とすればよい。【００６８】
次に、再びＥＱ回路２４、駆動部１７等によって、第２極性とされたトラッキングエラー信号に基づいてトラッキングが行われる（ステップＳ５）。即ち、上述した第１極性とされたトラッキングエラー信号に基づいてトラッキングが行われた場合と比較して、光スポットが半トラックだけずれた位置にトラッキング、即ち半トラックジャンプされる。【００６９】
続いて、上述した第１ウォブル信号振幅の測定（即ち、ステップＳ３）と同様に、プッシュプル信号生成部２１によって、光スポットからの光からプッシュプル信号が、トラッキングエラー信号として測定され、ウォブル信号抽出部２７によって、このトラッキングエラー信号に重畳されたウォブル信号が抽出され、その振幅が第２ウォブル信号振幅として測定される（ステップＳ６）。測定された第２ウォブル信号振幅は、メモリ１６に記憶される。【００７０】
次に、第１及び第２ウォブル信号振幅の大きさに基づいて、光ディスク１００の記録方式が判定部２８によって判定される（ステップＳ７）。具体的には、第１ウォブル信号振幅の大きさと第２ウォブル信号振幅の大きさとを比較する。図６を参照して上述したように、ウォブル信号振幅は、光スポットがグルーブの中心に位置する場合に振幅が最大となり、中心からずれるに従って振幅は小さくなるという性質を有する。よって、第１ウォブル信号振幅の大きさが第２ウォブル信号振幅の大きさよりも大きい場合には、第１ウォブル信号振幅を測定した際のトラッキング位置にグルーブが存在することになり、第２ウォブル信号振幅を測定した際のトラッキング位置にグルーブ間が存在することになる。逆に、第１ウォブル信号振幅の大きさが第２ウォブル信号振幅の大きさよりも小さい場合には、第１ウォブル信号振幅を測定した際のトラッキング位置にグルーブ間が存在することになり、第２ウォブル信号振幅を測定した際のトラッキング位置にグルーブが存在することになる。従って、第１及び第２ウォブル信号振幅のうち大きい方を測定した際のトラッキング信号の極性に対応する記録方式が、光ディスクの記録方式として判定することができる。【００７１】
判定部２８によって、第１ウォブル信号振幅が第２ウォブル信号振幅よりも大きくないと判定された場合には（ステップＳ７：ＮＯ）、光学情報装置１０は、光ディスク１００がイングルーブ方式であるとして各種セットアップを行う（ステップＳ８）。この際、特に、トラッキングエラー信号の極性は、第２極性を維持し、イングルーブ方式に対応させる。【００７２】
一方、第１ウォブル信号振幅が第２ウォブル信号振幅よりも大きいと判定された場合には（ステップＳ７：ＹＥＳ）、極性反転部２３は、トラッキングエラー信号の極性が、第１極性になるように反転する（ステップＳ９）。つまり、第１ウォブル信号振幅が第２ウォブル信号振幅よりも大きい場合には、第１極性とされたトラッキングエラー信号に基づいてトラッキング制御されたときには、トラック中心上にトラッキングされ、第２極性とされたトラッキングエラー信号に基づいてトラッキング制御されたときには、トラック間の中間部の中心にトラッキングされたと判定できる。即ち、光ディスク１００の記録方式がオングルーブ方式であると判定できるので、トラッキングエラー信号の極性は、オングルーブ方式に対応する極性である第１極性に反転される。【００７３】
次に、再びＥＱ回路２４、駆動部１７等によって、第１極性とされたトラッキングエラー信号に基づいてトラッキングが行われる（ステップＳ１０）。即ち、光スポットがトラック（即ち、オングルーブ）上にトラッキングされる。【００７４】
次に、光学情報装置１０は、光ディスク１００がオングルーブ方式であるとして各種セットアップを行う（ステップＳ１１）。【００７５】
光学情報装置１０が、光ディスク１００がオングルーブ方式又はイングルーブ方式として各種セットアップを開始すると（ステップＳ１１又はステップＳ１２）、記録方式の判定処理は終了する。【００７６】
その後、光学情報装置１０は、判定された記録方式に対応する極性とされたトラッキングエラー信号でトラッキング制御を行うことにより、例えば、確実に光ディスク１００に記録された情報を読み取る、或いは再生することができる。【００７７】
以上の説明したように本実施例に係る記録方式判定装置によれば、第１及び第２ウォブル信号振幅の大きさに基づいて、光ディスク１００の記録方式を判定することができる。特に、第１及び第２ウォブル信号振幅の大きさに基づいて、光ディスク１００の記録方式を判定するので、光ディスク１００に情報が記録されているか否か（即ち、グルーブ上にビット９３或いは９４が形成されているか否か（図２参照））にかかわらず記録方式を判定することができる。更に、記録された情報を読み出すための複雑な回路を必要とせずに、情報をデコードすることを待たずして速やかに記録方式を判定することができる。加えて、第１及び第２ウォブル信号振幅の測定を互いに半トラック分だけずれた位置で行うことにより、反射率の面内変動やウォブル信号のトラック（即ちグルーブ）間干渉、即ち、いわゆるウォブルビート等による振幅変動による記録方式の判定への影響を殆ど或いは好ましくは完全に無くすことができる。【００７８】
また、半トラックジャンプを行うことなく、一度トラッキングサーボをオープン状態とし極性を反転させ、再度トラッキングサーボをクローズ状態にして、前後のウォブル信号の振幅を比較してもよい。【００７９】
（記録方式判定用のコンピュータプログラム）
以上のような記録方式の判定は、第１実施例のように光学情報装置の内部に組み込まれた或いは外部に接続された記録方式判定装置によって実現してもよいし、光照射手段及びトラッキング手段を備えた光学情報装置に設けられるコンピュータにプログラムを読み込ませることによって実現してもよい。コンピュータにプログラムを読み込ませて実現する場合には、コンピュータをウォブル信号振幅測定手段及び判定手段として動作させるためのプログラムを作成する。【００８０】
本発明は、上述した実施例に限られるものではなく、請求の範囲及び明細書全体から読み取れる発明の要旨或いは思想に反しない範囲で適宜変更可能であり、そのような変更を伴う記録方式判定装置及びコンピュータプログラムもまた本発明の技術的範囲に含まれるものである。
【産業上の利用可能性】
【００８１】
本発明に係る記録方式判定装置及びコンピュータプログラムは、例えば光学式記録媒体における記録方式を判定する記録方式判定装置に利用可能である。また、例えば民生用或いは業務用の各種コンピュータ機器に搭載される又は各種コンピュータ機器に接続可能な記録方式判定装置等にも利用可能である。
【図１】
0004476329.tif 000002
【図２】
0004476329.tif 000003
【図３】
0004476329.tif 000004
【図４】
0004476329.tif 000005
【図５】
0004476329.tif 000006
【図６】
0004476329.tif 000007